(57)【特許請求の範囲】
【請求項１】
モータにて駆動されるポンプを有するモータ駆動型ポンプ装置において、ポンプ機能部周りに、当該ポンプ機能部を液密状に遮蔽するシールド部を設けるとともに、当該シールド部の周りに、上記ポンプとモータとの接合部のところから浸入して来た雨水を溜めておく水溜まり部を設け、当該水溜まり部の底の部分に連通するものであってポンプハウジングの外側に開口部を有する水抜き路を設けるようにし、更に、当該水抜き路の外側開口部を、本ポンプ装置全体を所定の位置に取付ける際に用いられる取付ボルトの、その背面側または裏側に配置させるようにしたことを特徴とするモータ駆動型ポンプ装置。
【請求項２】
請求項１記載のモータ駆動型ポンプ装置において、上記モータとポンプとの組付作業に当って、上記モータを収容するモータハウジングとポンプを収容するポンプハウジングとの接合部のところに、液状シールまたは液状ガスケットを塗布しないようにしたことを特徴とするモータ駆動型ポンプ装置。
【発明の詳細な説明】
【０００１】
【発明の属する技術分野】
本発明は、モータにて回転駆動されるポンプ装置に関するものであり、特に、モータとポンプとの結合面、具体的にはモータを収容するモータハウジングとポンプを収容するポンプハウジングとの結合面のところに、従来のものにおいて用いられていた液状シールまたは液状ガスケット等を設けないようにしたモータ駆動型のポンプ装置に関するものである。
【０００２】
【従来の技術】
一般に、動力源であるところのモータとポンプとの間は、フレキシブルジョイント等を介して連結され、これによって所定の駆動力が伝達されるようになっている。ところで、このようなフレキシブルジョイントを介しての連結の外に、省スペース化等の観点から、直接モータ（電動モータ）とポンプとを結合させて、両者を一体化したものが挙げられる。そして、これらのものにおいては、例えば図９に示す如く、電動モータを収容するモータハウジング１０の結合面とポンプを収容するポンプハウジング２０の結合面との間には、シーラント等からなる液状シールあるいは液状ガスケット３０等が設けられる（塗布される）ようになっている。このような液状ガスケット３０等を上記結合面に塗布することによって、上記結合面からの雨水の浸入等を抑止するようにしている。
【０００３】
【発明が解決しようとする課題】
ところで、上記従来のものにおいては、上記液状ガスケット３０等の塗布に当って、その塗布量が、結合面の場所によって異なった場合、モータ軸とポンプ軸心との間にずれが生ずることとなる。その結果、モータ軸とポンプ取付け面との間における直角度が正確に得られなくなり、ポンプ側において、振動・騒音等の発生が懸念される。このような問題点を解決するために、上記結合面（合わせ面）には液状ガスケット等を塗布しないようにするとともに、万一、上記合わせ面から浸入して来た雨水等は、別途設けられた水抜き機構等を介してポンプハウジングの外側に排出させ、ポンプ機能部には雨水等が浸入することのないようにした、モータ駆動型ポンプ装置を提供しようとするのが、本発明の目的（課題）である。
【０００４】
【課題を解決するための手段】
上記課題を解決するために、本発明においては次のような手段を講ずることとした。すなわち、請求項1記載の発明においては、モータにて駆動されるポンプを有するモータ駆動型ポンプ装置に関して、ポンプ機能部周りに、当該ポンプ機能部を液密状に遮蔽するシールド部を設けるとともに、当該シールド部の周りに、上記ポンプとモータとの接合部のところから浸入して来た雨水を溜めておく水溜まり部を設け、当該水溜まり部の底の部分に連通するものであってポンプハウジングの外側に開口部を有する水抜き路を設けるようにし、更に、当該水抜き路の外側開口部を、本ポンプ装置全体を所定の位置に取付ける際に用いられる取付ボルトの、その背面側または裏側に配置させるようにした構成を採ることとした。このような構成を採ることにより、本発明のものにおいては、上記モータとポンプとの合わせ面周りから、仮にポンプハウジング内へ雨水等が浸入して来たとしても、当該雨水等はポンプ機能部の周りに設けられたシールド部にて遮られるとともに、当該遮られた雨水等は水溜まり部に集められ、ここから水抜き路を通じてポンプハウジングの外側へと排出されることとなる。
【０００６】
また、本発明においては、このような構成を採ることにより、本ポンプ装置の設けられるエンジンルーム内等が、仮にシャワー状態となったとしても、上記ポンプハウジングに設けられた水抜き路の外側開口部周りには、その前面に取付ボルトが配置されていることより、この取付ボルトが上記外側開口部に対する遮蔽板の役目を果すこととなり、上記水抜き路からはポンプハウジング内へ雨水等が浸入して来るようなことがない。
【０００７】
次に、請求項２記載の発明について説明する。このものも、その基本的な点は請求項１記載のものと同じである。すなわち、本発明においては、請求項１記載のモータ駆動型ポンプ装置に関して、上記モータとポンプとの組付作業に当って、上記モータを収容するモータハウジングとポンプを収容するポンプハウジングとの接合部のところに、液状シールまたは液状ガスケットを塗布しないようにした。このような構成を採ることにより、モータの軸心とポンプの軸心との芯合わせ作業が円滑に、かつ、正確に行なわれるようになる。すなわち、従来のものにおいては、上記モータハウジングとポンプハウジングとの合わせ面の周りには液状シールあるいは液状ガスケット等が塗布され、これによって、上記合わせ面のシール性を確保するようにしている。従って、この液状ガスケットの塗布厚さが、場所によって異なった状態で両者の組付けが行なわれると、モータの軸心とポンプハウジングの合わせ面の直角度が正確に得られず、ポンプが回転時に、振動あるいは騒音を発生するおそれがある。このようなことの無いよう、従来のものにおいては、液状ガスケットの塗布量（塗布厚さ）を合わせ面全周にわたって均一な状態となるように細心の注意が払われている。従って、モータとポンプとの組付け作業は、その作業効率が良くないと言う問題点がある。これに対して、本発明のものにおいては、上記合わせ面のところには、液状ガスケット等を用いないようにしたので、モータ軸心とポンプハウジングの合わせ面との間における直角度は精度良く確保されることとなり、両者の組付作業等は効率良く進められこととなる。
【０００８】
【発明の実施の形態】
本発明の一実施形態について、図１ないし図５を基に説明する。本実施の形態に関するものの、その構成は、図１に示す如く、電動モータ１と、当該電動モータ１にて回転駆動されるポンプ５と、からなることを基本とするものである。このような構成のものにおいて、上記電動モータ１は、モータハウジング１１内に収容されるとともに、上記ポンプ（ポンプ機能部）５はポンプハウジング２内に収容されるようになっている。そして、これらモータハウジング１１とポンプハウジング２とは、それぞれの合わせ面１１１、２１１にて印ろう合わせ構造が採用されている。
【０００９】
このような構成からなるものにおいて、上記ポンプハウジング２は、図１及び図２に示す如く、その中央部にシールド部２１を有するとともに、当該シールド部２１内にポンプ（ポンプ機能部）５がＯリング２４にて液密状に保持されるようになっている。そして、このようなシールド部２１の、その外側には、上記合わせ面２１１周りから浸入して来た雨水等を溜めておくための水溜まり部２２が設けられている。なお、当該水溜まり部２２は、図２に示す如く、上記シールド部２１の周りに複数個設けられるようになっており、これら各水溜まり部２２は、底の部分が傾斜面となっている。そして、それぞれの底の部分が連結されている。そして更に、これら各水溜まり部２２のうちの最も底の深いものの、その底部２２２のところには、当該水溜まり部２２に溜められた水を、本ポンプハウジング２の外側へ排出させるための水抜き路３が設けられるようになっている（図３参照）。
【００１０】
すなわち、この水抜き路３は、図２及び図３に示す如く、一方の端部（内側開口部）３１が水溜まり部２２の底の最も低い位置に開口するように形成されるとともに、もう一方の端部（外側開口部）３３は、図３ないし図５に示す如く、ポンプハウジング２の外側のところであって取付ボルト４の、その裏側あるいは背面側に開口するように成っている。従って、上記水溜まり部２２に溜められた雨水等は、上記水抜き路３を介して、ポンプハウジング２の外側に排出されることとなる。また、一方、上記構成からなるポンプアセンブリが所定の取付ボルト４をもって車両のエンジンルーム内等に取付けられた状態においては、上記取付ボルト４が、図４及び図５に示す如く、水抜き路３の外側開口部３３の遮蔽板を形成するようになっている。
【００１１】
次に、このような構成からなる本実施の形態のものについての、その作用等について説明する。まず、モータ１とポンプ（ポンプ機能部）５との結合に当っては、モータ１から突出するように形成された回転軸１５をポンプ機能部５の中心点（Ｏ）に合せるように挿入（装着）する。これと同時に、ポンプハウジング２の合わせ面２１１とモータハウジング１１の合わせ面１１１とを結合させる。なお、両者の間は印ろう合わせ状に成っているので、上記両ハウジング１１、２の上記合わせ面１１１、２１１どうしを結合させることによって、モータ１の回転軸１５の軸心とポンプ（ポンプ機能部）５の中心点（Ｏ）とは円滑に芯合わせが成されることとなる。特に、本実施の形態のものにおいては、上記合わせ面１１１、２１１の周りには液状シールあるいは液状ガスケット等が設けられていない（塗布されない）ので、上記合わせ面におけるモータ回転軸１５の軸心に対するポンプハウジング２の合わせ面２１１における直角度が精度良く確保されるようになる。従って、モータ１の軸心とポンプ（ポンプ機能部）５の中心線合わせ作業が円滑に行なわれる。
【００１２】
また、このようにして組立てられた本ポンプアセンブリ（モータ駆動型ポンプ装置）においては、仮に、本ポンプ装置周りがシャワー状態に置かれることによって、上記合わせ面１１１、２１１の周りからポンプハウジング２内に雨水等が浸入して来たとしても、ポンプハウジング２に設けられた水抜き路３等の作用により、上記雨水等は円滑にポンプハウジング２の外側へと排出されることとなる。すなわち、上記合わせ面１１１、２１１周りから浸入してきた雨水等は、ポンプ（ポンプ機能部）５の周りに設けられたシールド部２１にて遮られるとともに、このシールド部２１にて遮られた雨水等は水溜まり部２２に集められる。そして、この水溜り部２２に集められた雨水等は、当該水溜り部２２の底部２２２から外部に連なる水抜き路３を介して外側開口部３３へと導かれ、ここからポンプハウジング２の外へ排出される。このようにして、ポンプハウジング２内に浸入した雨水等は、ポンプ機能部５には到達せずに、外部へと排出されることとなる。なお、このようにして内部の雨水等が排出される水抜き路３の外側開口部３３の位置には、取付ボルト４が装着され、この取付ボルト４が上記外側開口部３３を遮蔽する遮蔽部材の役目を果すので、当該ポンプアセンブリの取付けられるエンジンルーム内等が、仮にシャワー状態となったとしても、上記外側開口部３３からはポンプハウジング２内へは雨水等が浸入して来ない。
【００１３】
次に、本実施の形態についての、その変形例について、図６ないし図８を基に説明する。このものも、その基本的な点は上記実施の形態のところで述べたものと同じである。その特徴とするところは、水抜き路３の形態に関する点である。すなわち、本変形例においては、図６に示す如く、ポンプ機能部５の周りには複数の水溜まり部２２が設けられている。そして、これら水溜まり部２２は、図７に示す如く、その底の部分にて、それぞれ連結されており、そのうちの最も底の深いものの底部２２２のところには、水抜き路３が設けられるようになっている。この水抜き路３は、図７及び図８に示す如く、底部２２２から垂直状に形成され、その下端側はポンプハウジング２の外側に開口する凹部４０に開口するようになっている。従って、本変形例のものにおいては、外方からの雨水の直撃を受けにくく、また、上記水溜まり部２２のところに集められた雨水等は上記垂直状の水抜き路３を経由してポンプハウジング２の外側へと円滑に排出されることとなる。
【００１４】
【発明の効果】
本発明によれば、モータにて駆動されるポンプを有するモータ駆動型ポンプ装置に関して、ポンプ機能部周りに、当該ポンプ機能部を液密状に遮蔽するシールド部を設けるとともに、当該シールド部の周りに、上記ポンプとモータとの接合部のところから浸入して来た雨水を溜めておく水溜まり部を設け、当該水溜まり部の底の部分に連通するものであってポンプハウジングの外側に開口部を有する水抜き路を設けるようにした構成を採ることとしたので、上記モータとポンプとの合わせ面周りから、仮にポンプハウジング内へ雨水等が浸入して来たとしても、当該雨水等はポンプ機能部の周りに設けられたシールド部にて遮られるとともに、当該遮られた雨水等は水溜まり部に集められ、ここから水抜き路を通じてポンプハウジングの外側へと排出されるようになった。
【００１５】
また、上記水抜き路の外側開口部を、本ポンプ装置全体を所定の位置に取付ける際に用いられる取付ボルトの、その背面側または裏側に配置させるようにした構成を採ることとしたものにおいては、本ポンプ装置の設けられるエンジンルーム内等が、仮にシャワー状態となったとしても、上記ポンプハウジングに設けられた水抜き路の外側開口部周りには、その前面に取付ボルトが配置されていることより、この取付ボルトが上記外側開口部に対する遮蔽板の役目を果すこととなり、上記水抜き路からはポンプハウジング内へ雨水等が浸入して来るのを抑止することができるようになった。
【００１６】
また、本発明においては、上記モータとポンプとの組付作業に当って、上記モータを収容するモータハウジングとポンプを収容するポンプハウジングとの接合部のところに、液状シールまたは液状ガスケットの塗布を行なわないようにしたので、モータの軸心とポンプの軸心との芯合わせ作業が円滑に、かつ、正確に行なわれるようになった。その結果、本発明のものにおいては、モータ軸心とポンプハウジングの合わせ面との間における直角度が精度良く確保されるようになり、両者の組付作業等は効率良く進められるようになった。
【図面の簡単な説明】
【図１】本発明の全体構成を示す正面図及びポンプハウジングについての縦断面図である。
【図２】モータを取外した状態のポンプハウジングを示す図１のＡ矢視平面図である。
【図３】本発明の主要部を成すポンプハウジングの一部を断面にて示す図１のＢ矢視側面図である。
【図４】本発明の主要部を成すポンプハウジングの側面図であって水抜き路外側開口部と取付ボルトとの関係を示す図２のＣ矢視図である。
【図５】水抜き路の外側開口部と取付ボルトとの関係を示す部分断面図である。
【図６】本発明の変形例についての全体構成を示す正面図及びポンプハウジングについての縦断面図である。
【図７】本発明の変形例におけるモータを取外した状態のポンプハウジングを示す図６のＤ矢視平面図である。
【図８】本発明の変形例におけるポンプハウジングの一部を断面にて示す図６のＥ矢視図である。
【図９】従来のものの全体構成を示す縦断面図である。
【符号の説明】
１  モータ
１１  モータハウジング
１１１  合わせ面
１５  回転軸
２  ポンプハウジング
２１  シールド部
２１１  合わせ面
２２  水溜まり部
２２２  底部
２４  Ｏリング
３  水抜き路
３１  開口部（内側開口部）
３３  外側開口部
４  取付ボルト
５  ポンプ（ポンプ機能部）
【図１】
0003906966.tif 000002
【図２】
0003906966.tif 000003
【図３】
0003906966.tif 000004
【図４】
0003906966.tif 000005
【図５】
0003906966.tif 000006
【図６】
0003906966.tif 000007
【図７】
0003906966.tif 000008
【図８】
0003906966.tif 000009
【図９】
0003906966.tif 000010